(57)【特許請求の範囲】
【請求項１】
複数の配線・配管材を支持する支持具であって、
基部と、その基部に間隔をおいて並ぶようにして立設される複数の支持体からなる支持体群とを備え、
隣合う支持体の各間は、それぞれ、前記配線・配管材が嵌入される嵌入部となり、かつ、前記隣合う支持体は、前記嵌入部に嵌入される前記配線・配管材を挟むようにして支持可能であり、
前記支持体群の少なくとも一つの支持体は、前記各嵌入部に嵌入された前記配線・配管材による前記各嵌入部の拡開に伴う、各支持体の変形の拡大を防止あるいは緩和するための拡大抑制手段として、各支持体の変形の拡大を吸収する吸収空間を備え、
前記吸収空間を備える支持体は、前記基部に、前記吸収空間が間に形成されるように離れて立設される一対の支持片からなり、
前記吸収空間は、前記各嵌入部に嵌入された前記配線・配管材による前記各嵌入部の拡開に伴い、前記一対の支持片が変形して互いにほぼ接し得るように、形成されており、また、
前記複数の支持体の内の、前記吸収空間を備える支持体は、前記吸収空間を備えない支持体を両側に置いて、設けられている、配線・配管材の支持具。
【請求項２】
前記複数の支持体の内の、前記吸収空間を備える支持体は、複数の、前記吸収空間を備えない支持体を両側に置いて、設けられている、請求項１に記載の、配線・配管材の支持具。
【請求項３】
前記吸収空間を備えない支持体、および前記支持片は、板状に形成され、その並ぶ方向に面を向けるように立設されていることを特徴とする、請求項１または２に記載の、配線・配管材の支持具。
【発明の詳細な説明】
【０００１】
【発明の属する技術分野】
この発明は、建物の一部もしくは建物に固着された固着物等の被取付体に取り付けて、複数の配線・配管材を支持するための支持具に関するものである。
【０００２】
【従来の技術】
従来、この種の支持具としては、例えば、図５に示されるような、ケーブル支持具Ｓ４が知られている。このケーブル支持具Ｓ４は、天井内に吊り下げ固定された吊りボルトＰ１に、取付部１２を介して、取り付けて利用されるものであって、基部１１と、その基部１１に一定の間隔をおいて立設される複数の支持体群Ｍとからなり、その隣合う支持体１３の各間は、それぞれ、ケーブルＱ１が嵌入される嵌入部１４となっている。
【０００３】
【発明が解決しようとする課題】
ところが、この従来のケーブル支持具Ｓ４では、嵌入部１４に、ケーブルＱ１が嵌入されると、嵌入部１４は、わずかに拡開され、ケーブルＱ１を両側から挟むようにして支持する支持体１３を、変形させて外方向に傾けようとする力が働く。このため、各嵌入部１４に、ケーブルＱ１がそれぞれ嵌入されると、支持体１３を変形させて外方向に傾けようとする力は、各嵌入部１４に嵌入されたケーブルＱ１を介して、各支持体１３を次々と伝搬する。
【０００４】
こうして、図５に示されるように、吊りボルトＰ１から離れた位置にある支持体１３の傾きの変形量は、累積的に大きくなり、その支持体１３の傾く側にある嵌入部１４に嵌入されているケーブルＱ１を圧迫して、そのケーブルＱ１が、よじれたりするなどの問題があった。また、支持体１３が大きく傾いて、嵌入部１４の上方開口部が真上に向かって開口していないところに、ケーブルＱ１を無理矢理に嵌入しようとして、その支持体１３を破損してしまう等の問題もあった。もちろん、支持体１３の各間の離間距離を広くすることにより、嵌入部１４の拡開は防止できるが、そのようにすると、嵌入部１４に嵌入されたケーブルＱ１を、確実に、支持体１３によって挟むようにして支持することはできなくなる。
【０００５】
この発明は、このような従来の技術に存在する問題点に着目してなされたものである。その目的とするところは、複数の配線・配管材を挟むようにして支持できるとともに、支持する配線・配管材がよじれたりすることがなく、また、配線・配管材の嵌入に伴って支持体が破損するようなことが少ない、配線・配管材の支持具を提供することにある。
【０００６】
【課題を解決するための手段】
この発明に係る配線・配管材の支持具は、前記目的を達成するために、次の構成からなる。
【０００７】
すなわち、複数の配線・配管材を支持する支持具であって、基部と、その基部に間隔をおいて並ぶようにして立設される複数の支持体からなる支持体群を備える。そして、隣合う支持体の各間は、それぞれ、前記配線・配管材が嵌入される嵌入部となり、かつ、前記隣合う支持体は、前記嵌入部に嵌入される前記配線・配管材を挟むようにして支持することができる。前記支持体群の少なくとも一つの支持体は、前記各嵌入部に嵌入された前記配線・配管材による前記各嵌入部の拡開に伴う、各支持体の変形の拡大を防止あるいは緩和するための拡大抑制手段として、各支持体の変形の拡大を吸収する吸収空間を備える。
【０００８】
こうして、この支持具は、支持体群によって、複数の配線・配管材を挟むようにして支持する一方、少なくとも一つの支持体が備える拡大抑制手段としての前記吸収空間によって、各支持体の変形の拡大を防止あるいは緩和する。よって、前記各嵌入部に嵌入された配線・配管材がよじれたり、また、それら嵌入部の上方開口部が、ほぼ真上に向かって開口することが妨げられたりすることがなくなる。
【０００９】
すなわち、各嵌入部に嵌入された配線・配管材による、各嵌入部の拡開に伴って、各支持体は、変形し傾くが、その変形を前記吸収空間が吸収する。そして、支持体を変形させ傾けようとする力の伝搬は、その吸収空間の存在によって、妨げられる。
【００１０】
また、前記吸収空間を備える支持体は、前記基部に、前記吸収空間が間に形成されるように離れて立設される一対の支持片からなる。このように形成すると、各嵌入部に嵌入された配線・配管材による各嵌入部の拡開に伴って、前記一対の支持片の各先端部分が、吸収空間側に傾くように変形するが、その変形を、吸収空間が吸収することとなる。
【００１１】
さらに、前記吸収空間は、前記各嵌入部に嵌入された前記配線・配管材による前記各嵌入部の拡開に伴い、前記一対の支持片が変形して互いにほぼ接し得るように、形成されている。このようにすることにより、吸収空間を適切な狭さで形成することができ、定められた寸法の範囲内で、より多くの本数の配線・配管材が収容可能な支持具となる。また、一対の支持片が変形して、互いにほぼ接し得るような状態となれば、それら一対の支持片の、それ以上の変形は互いに規制されるため、各嵌入部に嵌入された前記配線・配管材が外れにくくなる。なお、ほぼ接し得るとは、前記一対の支持片のそれぞれが、当接するほどに近づく場合はもちろんのこと、支持体を変形させ傾けようとする力が、各支持体に伝搬されるのを妨げる状態で、これら一対の支持片が当接する場合をも含むものである。
また、前記複数の支持体の内の、前記吸収空間を備える支持体は、前記吸収空間を備えない支持体を両側に置いて、設けられている。ここで、前記複数の支持体の内の、前記吸収空間を備える支持体は、複数の、前記吸収空間を備えない支持体を両側に置いて、設けられてもよい。
また、前記吸収空間を備えない支持体、および前記支持片は、板状に形成され、その並ぶ方向に面を向けるように立設されてもよい。
【００１２】
【発明の実施の形態】
この発明に係る配線・配管材の支持具Ｓ１は、建物の一部あるいは建物に固着された固着物等の被取付体Ｐに取り付けられて、複数の配線・配管材Ｑを支持するための支持具である。
【００１３】
第１の実施形態に示されるこの支持具Ｓ１は、例えば、合成樹脂成形品からなり、図１および図２に示されるように、基部１を備え、その一側部には、天井内に吊り下げ固定された吊りボルト等の被取付体Ｐに、着脱自在に取り付け可能な取付部２が設けられている。この取付部２には、先端部が円弧状に湾曲する上下一対のフック部２ａ，２ａが、その長手方向両端部において、互い違いに離れて設けられており、それら一対のフック部２ａ，２ａが、被取付体Ｐに対して、その両側から抱き込むようにして取り付くことができる。こうして、この支持具Ｓ１は、図１に示されるように、基部１が被取付体Ｐに対して、ほぼ直交位置するように、その被取付体Ｐに取り付けられる。そして、この支持具Ｓ１には、前記基部１の幅とほぼ一致する長さの幅を有する複数（二以上）の支持体３が、その基部１上に、例えば、等しい間隔をおいて並ぶようにして立設され、支持体群Ｎを構成している。支持体群Ｎのうちの一方端に位置する１個の支持体３は、その片側半分が前記取付部２と一体化している。また、支持体群Ｎにおける各支持体３は、配線・配管材Ｑ（図示実施例では、配線・配管材Ｑの一例としてケーブルが示されている。）の嵌入の作業を円滑に行うことができ、かつ、嵌入された配線・配管材Ｑが抜けにくくするように、その先端部分が、先ほど尖るほぼ矢印形状の係止部３ａとなっている。
【００１４】
隣合う支持体３の各間は、それぞれ、配線・配管材Ｑが嵌入される嵌入部４となる。配線・配管材Ｑが、その嵌入部４に嵌入されると、前記隣合う支持体３は、配線・配管材Ｑを両側から挟むようにして支持する。嵌入される配線・配管材Ｑが、例えば、断面長円形形状である場合、それとほぼ嵌り合うことができるように、各嵌入部４の底部は、断面円弧状に形成される。
【００１５】
また、前記支持体群Ｎのうち、所定の間隔をおいて設けられる、例えば、２個の支持体３は、ほぼ左右対称形の一対の支持片５，５からなる。これら一対の支持片５，５は、その間に、上方にも開口する断面細長Ｕ字状のスリット空間（後述する吸収空間６）を備えるとともに、嵌入部４を介して隣合う支持体３の各間の離間距離よりも明らかに短い離間距離で、基部１に立設されている。
【００１６】
次に、このように構成された、第１の実施の形態に示される配線・配管材の支持具Ｓ１について、その作用・効果を説明する。
【００１７】
まず、図１に示されるように、各嵌入部４に配線・配管材Ｑを嵌入する。すると、嵌入された配線・配管材Ｑは、隣合う支持体３により挟まれるようにして支持される一方、各嵌入部４を押圧して、それら嵌入部４をやや外方向に拡開させる。各嵌入部４の拡開に伴い、支持体群Ｎにおける各支持体３は、変形し、力の加わる外方向に傾こうとする。これら各支持体３が傾く側の各嵌入部４にも、それぞれ配線・配管材Ｑが嵌入されているので、各支持体３を変形させ傾けようとする力は、配線・配管材Ｑを介して、各支持体３に、順次、累積的に拡大して伝搬することとなる。
【００１８】
ところが、この支持具Ｓ１には、支持体３の傾きの変形量が、大きくなって許容できなくなる位置において、各支持体３を変形させ傾けようとする力の伝搬を妨げることのできる、換言すれば、各支持体３の変形もしくはその変形による傾きの累積的な拡大を防止あるいは緩和するための、拡大抑制手段としての吸収空間６を備えた、支持体３が設けられている。図１に示されるように、この支持体３を構成する一対の支持片５，５は、各嵌入部４の拡開により、吸収空間６側に傾いて倒れ込むように変形するが、その変形を吸収空間６が吸収することにより、各支持体３の変形もしくはその変形による傾きの累積的な拡大を防止あるいは緩和する。
【００１９】
なお、前記吸収空間６は、一対の支持片５，５が傾いて変形することにより、それら一対の支持片５，５が、互いにほぼ接し得るような間隙をそれらの間に備えるように、形成されているとよい。一対の支持片５，５がほぼ接し得るようであれば、それら支持片５，５の離間距離は不必要に長くなく、吸収空間６は、適切な狭さを備えることとなる。したがって、このような構成からなる支持具Ｓ１は、基部１の長手方向の所定寸法範囲内における各嵌入部４の個数を増設することができ、より多くの本数の配線・配管材Ｑを収容することができる。しかも、前記一対の支持片５，５間には、余分な離間距離がないわけであるから、それら支持片５，５がさらに傾いて変形することが互いに規制され、各嵌入部４に嵌入された前記配線・配管材Ｑが外れにくくなる。
【００２０】
もっとも、一対の支持片５，５の各間の離間距離をあまりに短くすると、一対の支持片５，５が互いに当接したままの状態でともに傾いて、各支持体３を変形させ傾けようとする力の伝搬を妨げることができなくなる。したがって、一対の支持片５，５の各間は、各支持体３を変形させ傾けようとする力の伝搬を妨げることができる範囲で、より多くの本数の配線・配管材Ｑを支持することができるように、短い離間距離で設けられるとよい。もちろん、吸収空間６を備える支持体３が基部１に数多く設けられている場合、一対の支持片５，５の各間の離間距離は、さらに短くなってもよい。したがって、吸収空間６を備える支持体３を基部１に何個設けるかについては、この実施形態においては２個であるが、それに限らず使用の態様に合わせ、何個あってもよく、また、ほぼすべての支持体３が、吸収空間６を備えていても構わない。
【００２１】
このようにして、支持体群Ｎにおける各支持体３の変形もしくはその変形による傾きの累積的な拡大は、吸収空間６を備える支持体３の位置において、防止あるいは緩和されるので、各嵌入部４に嵌入されている配線・配管材Ｑは、傾きの変形量の大きな支持体３によって圧迫されることがなく、よって、前記配線・配管材Ｑがよじれたりすることがない。また、この吸収空間６の存在により、各嵌入部４へ配線・配管材Ｑが嵌入されても、各支持体３が大きく傾くように変形することはない。このため、各嵌入部４の上方開口部は、ほぼ真上に向かって開口することができるので、各嵌入部４に、配線・配管材Ｑを無理なく円滑に嵌入することができ、支持体３を破損してしまうようなことは少ない。
【００２２】
次に、この発明に係る配線・配管材の支持具の第２の実施形態を、主に、前記第１の実施形態と異なる部分について説明する。
【００２３】
この支持具Ｓ２は、図３に示されるように、支持体群Ｎのうち、所定の間隔をおいて設けられた、例えば、２個の支持体３の中央に、変形もしくは変形による傾きの累積的な拡大を防止あるいは緩和することのできる、拡大抑制手段としての縦断面長円形状の吸収空間６が、支持体３の幅方向に貫通するようにして設けてある。したがって、吸収空間６を備える支持体３の先端部分が閉塞されている点で、第１の実施形態と異なる。吸収空間６を備える支持体３の両側には、中央にある吸収空間６の存在によって、厚みの薄い支持部７，７が形成される。この支持部７，７は、その左右にある嵌入部４に嵌入される配線・配管材Ｑからの押圧を受けると、吸収空間６側に凹み、その押圧がなくなると元の状態に戻るような弾性を有する。よって、この吸収空間６を備える支持体３は、その左右にある嵌入部４に嵌入された配線・配管材Ｑからの押圧を受ける一方、支持部７，７が、吸収空間６側への凹みを伴いながら弾性回復しようと配線・配管材Ｑを押圧し、その配線・配管材Ｑを挟むようにして支持する。そして、吸収空間６は、各支持体３を変形させ傾けようとする力が伝搬するのを妨げることにより、各支持体３の変形もしくは変形による傾きの累積的な拡大を防止あるいは緩和する。
【００２４】
また、この配線・配管材の支持具Ｓ２では、吸収空間６を備える支持体３の先端部分が閉塞されているので、第１の実施の形態で示される支持具Ｓ１とは異なり、この支持具を利用する者が、誤って吸収空間６内に配線・配管材Ｑを嵌入してしまうことがない。
【００２５】
なお、この発明に係る第１の実施形態および第２の実施形態の支持具Ｓ１およびＳ２は、合成樹脂材料により一体成形されるのが好ましく、その合成樹脂材料は、特に、適度な弾性と剛性とを持ち合わせているポリアセタール樹脂が好ましい。
【００２６】
次に、この発明に係る配線・配管材の支持具の第３の実施形態を、図４に基づいて、主に、第１の実施形態と異なる部分について説明する。
【００２７】
この支持具Ｓ３では、硬質部材を用いて、基部１と、その基部１に間隔をおいて並ぶようにして立設される複数の支柱８を一体成形した後、クッション性のある軟質部材９を、各支柱８に対して、先端部分から完全に覆うようにかぶせて成形するものである。
【００２８】
このように形成すると、支柱８と軟質部材９とからなる支持体３は、クッション性のある軟質部材９を備えているため、その軟質部材９が拡大抑制手段として機能し、図４に示されるように、各嵌入部４に嵌入される配線・配管材Ｑに対して、ほとんど変形を与えることなく、それらを押圧し、挟むようにして支持する。また、配線・配管材Ｑは、支持体３の備えるクッション性のある軟質部材９により、嵌入部４への嵌入の際の衝撃から保護される。さらに、軟質部材９の材質を適当に選択することにより、その軟質部材９が柔軟に配線・配管材Ｑを挟めば、多少サイズの異なる配線・配管材Ｑであっても支持する。
【００２９】
なお、この発明に係る支持具Ｓ１（Ｓ２、Ｓ３）は、吊りボルト以外にも、例えば、天井に配される形鋼材とか、建物の一部である壁、柱、梁、天井板等を被取付体Ｐとして取り付けることができる。また、フック部２ａ，２ａを備えた取付部２は、必ずしも必要でなく、例えば、基部１の左右両端部に止めクギを打ち付けて、前記取付体Ｐに、クギ打ちにより取り付けるようにしても構わない。
【００３０】
【発明の効果】
以上、詳述したところから明かなように、この発明に係る配線・配管材の支持具によれば、次の効果がある。
【００３１】
請求項１ないし３に記載の配線・配管材の支持具によれば、嵌入部に配線・配管材が嵌入されにくいとか、嵌入された配線・配管材がよじれたりするとかの現象を防ぐことができ、また、配線・配管材を嵌入する際に、支持体を破損するようなことも少なくなる。
【００３２】
そして、各支持体の変形の拡大を吸収空間が吸収し、各支持体に、それら支持体を変形させ傾けようとする力が伝搬するのを、その吸収空間が妨げる。
【００３３】
さらに、吸収空間は、各嵌入部に嵌入された配線・配管材による各嵌入部の拡開に伴い、一対の支持片が変形して互いにほぼ接し得るように、形成されているので、吸収空間が有効に利用されて、より多くの本数の配線・配管材を収容できるとともに、各嵌入部に嵌入された前記配線・配管材が、それら嵌入部から外れにくくなる。
【図面の簡単な説明】
【図１】  第１の実施形態の配線・配管材の支持具の使用状態を示す正面図である。
【図２】  第１の実施形態の配線・配管材の支持具を示す斜視図である。
【図３】  第２の実施形態の配線・配管材の支持具を示す斜視図である。
【図４】  第３の実施形態の配線・配管材の支持具の使用状態を示す一部を破断した部分拡大正面図である。
【図５】  従来の配線・配管材の支持具の使用状態を示す正面図である。
【符号の説明】
Ｓ１                支持具                  Ｑ      配線・配管材
Ｐ                  被取付体                Ｎ      支持体群
１                  基部                    ３      支持体
４                  嵌入部                  ５      支持片
６                  吸収空間（拡大抑制手段）
【図１】
0003638441.tif 000002
【図２】
0003638441.tif 000003
【図３】
0003638441.tif 000004
【図４】
0003638441.tif 000005
【図５】
0003638441.tif 000006